(57)【要約】【課題】  ハンズフリーで携帯する際に、簡易に本体側の機器と接続することが可能な携帯用音楽再生機器を提供する。【解決手段】  プラグ１１Ａのジャックピン１６を本体側の機器１０Ａのジャックに挿入する。これにより、プラグ１１Ａを介してイヤホンケーブル１３と本体側の機器１０Ａとが電気的に結合される。プラグ１１Ａを本体側の機器１０Ａのジャックに挿入する際、プラグ１１Ａは挿入ヅメ１４を有しているため、差込口に挿入ヅメ１４が挿入されてプラグ１１Ａを介して本体側の機器１０Ａとネックストラップ１２との連結も同時に行われる。したがって、１回の動作でネックストラップ１２と本体側の機器１０Ａとの連結動作を実行することが可能となる。【選択図】        図２
2006295489.tif 000002
【特許請求の範囲】
【請求項１】
携帯しながら音楽情報を再生する携帯用音楽再生機器であって、
音楽情報を再生するための本体側の親ユニットと、
前記親ユニットと接続されて前記本体側で再生された音楽情報を聴くための子ユニットとを備え、
前記子ユニットは、
身体に装着するためのネックストラップと、
前記ネックストラップ内に埋設されて、前記ネックストラップの所定の箇所から再生された前記音楽情報を聴くことが可能なイヤホンケーブルと、
前記親ユニットと一体型で成型され、前記親ユニットで再生された音楽情報を前記イヤホンケーブルに伝達するために前記親ユニットとの接続に用いられる前記本体側のジャックに挿入するための着脱可能なプラグとを含み、
前記プラグは、前記ネックストラップと連結され、
前記イヤホンケーブルは、前記プラグを介して前記本体側のジャックと電気的に結合され、
前記プラグは、
前記本体側のジャックに挿入されるとともに、前記イヤホンケーブルと電気的に結合されるジャックピンと、
前記親ユニットと前記子ユニットとの接続のために、前記親ユニットの本体側の差込部分に挿入して連結可能な連結部材とを含む、携帯用音楽再生機器。
【請求項２】
携帯しながら音楽情報を再生する携帯用音楽再生機器であって、
音楽情報を再生するための本体側の親ユニットと、
前記親ユニットと接続されて前記本体側で再生された音楽情報を聴くための子ユニットとを備え、
前記子ユニットは、
身体に装着するためのネックストラップと、
前記ネックストラップ内に埋設されて、前記ネックストラップの所定の箇所から再生された前記音楽情報を聴くことが可能なイヤホンケーブルと、
前記親ユニットと一体型で成型され、前記親ユニットで再生された音楽情報を前記イヤホンケーブルに伝達するために前記親ユニットとの接続に用いられる前記本体側のジャックに挿入するための着脱可能なプラグとを含み、
前記プラグは、前記ネックストラップと連結され、
前記イヤホンケーブルは、前記プラグを介して前記本体側のジャックと電気的に結合されている、携帯用音楽再生機器。
【請求項３】
前記プラグは、
前記本体側のジャックに挿入されるとともに、前記イヤホンケーブルと電気的に結合されるジャックピンと、
前記親ユニットと前記子ユニットとの接続のために、前記親ユニットの本体側の差込部分に挿入して連結可能な連結部材とを含む、請求項２記載の携帯用音楽再生機器。
【発明の詳細な説明】
【技術分野】
【０００１】
本発明は、音楽再生機器に関し、特に首から吊り下げるネックストラップを用いて携帯する携帯用音楽再生機器に関する。
【背景技術】
【０００２】
近年、ウォーキング中や乗り物時での移動時や待ち合わせ時間等にラジオ放送や音楽を聴くための携帯式のラジオやオーディオプレーヤー等が注目されており、小型化・軽量化等携帯し易さが要求されている。これらのラジオやオーディオプレーヤー等は、一般的には、イヤホンあるいはヘッドホンでラジオ放送や音楽を聴くようになっている。
【０００３】
一方、これらの携帯式のラジオやオーディオプレーヤー等は、ハンズフリーとなるように携帯用のストラップに装着することにより携帯性を高めるようにして使用する場合も増えてきている。たとえば、特許文献１あるいは特許文献２においては、携帯用のストラップと、イヤホンとを組み合わせて、ストラップに取り付けあるいは、ストラップに埋設することによりイヤホンのコードを絡ませることなく、機器の携帯性を高めた構成が開示されている。
【特許文献１】特開２００２−９９１９号公報
【特許文献２】特開２００２−１６９９５号公報
【発明の開示】
【発明が解決しようとする課題】
【０００４】
しかしながら、上記文献に示される構成においては、イヤホンのコードと、ストラップとは、それぞれ独立に本体側の電子機器と接続されている構成であり、ハンズフリーで携帯する際には、その接続に手間がかかる。また、これらイヤホンのコードおよびストラップそれぞれ独立に接続しなければならないため、接続に用いる部品点数もそれぞれ独立に設ける必要があり、部品点数が多く、コストも高くなる可能性がある。
【０００５】
本発明は、上記のような問題を解決するためになされたものであって、ハンズフリーで携帯する際に、簡易に本体側の機器と接続することが可能な携帯用音楽再生機器を提供することを目的とする。
【課題を解決するための手段】
【０００６】
本発明に係る携帯用音楽再生機器は、携帯しながら音楽情報を再生する携帯用音楽再生機器であって、音楽情報を再生するための本体側の親ユニットと、親ユニットと接続されて本体側で再生された音楽情報を聴くための子ユニットとを備える。子ユニットは、身体に装着するためのネックストラップと、ネックストラップ内に埋設されて、ネックストラップの所定の箇所から再生された音楽情報を聴くことが可能なイヤホンケーブルと、親ユニットと一体型で成型され、親ユニットで再生された音楽情報をイヤホンケーブルに伝達するために親ユニットとの接続に用いられる本体側のジャックに挿入するための着脱可能なプラグとを含む。プラグは、ネックストラップと連結される。イヤホンケーブルは、プラグを介して本体側のジャックと電気的に結合され、プラグは、本体側のジャックに挿入されるとともに、イヤホンケーブルと電気的に結合されるジャックピンと、親ユニットと子ユニットとの接続のために、親ユニットの本体側の差込部分に挿入して連結可能な連結部材とを含む。
【０００７】
本発明に係る別の携帯用音楽再生機器は、携帯しながら音楽情報を再生する携帯用音楽再生機器であって、音楽情報を再生するための本体側の親ユニットと、親ユニットと接続されて本体側で再生された音楽情報を聴くための子ユニットとを備える。子ユニットは、身体に装着するためのネックストラップと、ネックストラップ内に埋設されて、ネックストラップの所定の箇所から再生された音楽情報を聴くことが可能なイヤホンケーブルと、親ユニットと一体型で成型され、親ユニットで再生された音楽情報をイヤホンケーブルに伝達するために親ユニットとの接続に用いられる本体側のジャックに挿入するための着脱可能なプラグとを含む。プラグは、ネックストラップと連結され、イヤホンケーブルは、プラグを介して本体側のジャックと電気的に結合されている。
【０００８】
好ましくは、プラグは、本体側のジャックに挿入されるとともに、イヤホンケーブルと電気的に結合されるジャックピンと、親ユニットと子ユニットとの接続のために、親ユニットの本体側の差込部分に挿入して連結可能な連結部材とを含む。
【発明の効果】
【０００９】
本発明に係る携帯用音楽再生機器について、イヤホンケーブルは、ネックストラップに埋設され、ネックストラップは、本体側のジャックと電気的に結合されるプラグと連結されている。したがって、プラグを挿入することにより、親ユニットと子ユニットとの連結によりネックストラップも連結される状態となる。それゆえ、ハンズフリーで音楽再生機器を携帯する場合には、１回の動作で簡易に接続が可能となる。
【発明を実施するための最良の形態】
【００１０】
以下、本発明の実施の形態について図面を参照しながら詳細に説明する。なお、図中同一または相当部分には同一符号を付し、その説明は繰返さない。
【００１１】
図１は、本発明の実施の形態に従う携帯用音楽再生機器１の外観構成を説明する図である。
【００１２】
図１を参照して、本発明の実施の形態に従う携帯用音楽再生機器１は、音楽データを再生するための主要部の構成を含む本体側の機器（親ユニット）１０と、本体側の機器と接続される部品等（子ユニット）が示されている。具体的には、本体側の機器１０と一体型で成型され、着脱可能なプラグ１１と、プラグ１１と連結され、首に吊り下げることが可能なネックストラップ１２と、本体側の機器で再生された音楽データを耳で聞くことが可能なイヤホン１４およびイヤホンケーブル１３（なお、これらを総括してイヤホンケーブルとも称する）が示されている。このイヤホンケーブル１３は、ネックストラップ１２に埋設されて所定の位置１５からイヤホン１４ととともにイヤホンケーブルが取り出せるような構成となっている。したがって、ネックストラップ１２とイヤホンケーブルとは一体となっているためイヤホンケーブルが絡まることを防止することが可能となる。なお、イヤホンケーブルをネックストラップ１２の中を通るように挿入した構成とすることも可能である。
【００１３】
本体側の機器１０は、たとえば、ここではＭＰ３等の圧縮方式を利用した音楽再生機器とする。たとえば、この音楽再生機器は、ネットワークを介して配信センタから音楽情報を内蔵されているメモリにダウンロードして格納可能な構成、あるいは、図示しない外部機器から音楽情報を入力してメモリに格納可能な構成になっているものとする。そして、ユーザは、例えば内蔵されているメモリに格納されている音楽情報を再生してイヤホン等を用いて音楽を聴くことができる。これらの技術については、一般的な技術であり、その詳細な説明はここでは、省略する。
【００１４】
図２は、本発明の実施の形態に従うプラグと、本体側の機器との接続を説明する図である。ここでは、一例として２種類の接続方式が示されている。
【００１５】
図２（Ａ）は、本発明の実施の形態に従うプラグ１１Ａと、本体側の機器１０Ａとの接続を説明する図である。
【００１６】
図２（Ａ）を参照して、ここでは、プラグ１１Ａは、イヤホンケーブル１３が埋設されたネックストラップ１３と連結されている。
【００１７】
プラグ１１Ａは、本体側の機器１０Ａのジャックに挿入されて、本体側の機器１０Ａとの電気的な結合に用いられるジャックピン１６と、ジャックピン１６を固定する固定部材１５と、本体側の機器１０Ａの差込口１７に挿入され、本体側の機器１０Ａとの連結／分離に用いられる接続部材（連結部材）である挿入ヅメ１４とを含む。なお、図示していないが、固定部材１５の内部においてジャックピン１６とイヤホンケーブル１３とは電気的に結合されているものとする。
【００１８】
このプラグ１１Ａを本体側の機器１０Ａのジャックに挿入することによりプラグ１１Ａを介してイヤホンケーブル１３と本体側の機器１０Ａとが電気的に結合される。これにより、ユーザは、本体側の機器１０Ａの再生動作によりイヤホンケーブル１３を介してイヤホン１４から音楽を聴くことができる。
【００１９】
特に、本発明に従う構成においては、プラグ１１Ａを本体側の機器１０Ａのジャックに挿入する際、プラグ１１Ａは挿入ヅメ１４を有しているため、差込口に挿入ヅメ１４が挿入されてプラグ１１Ａを介して本体側の機器１０Ａとネックストラップ１２との連結も同時に行なわれる。
【００２０】
したがって、１回の動作でネックストラップ１２と本体側の機器１０Ａとの連結動作を実行することが可能となる。
【００２１】
図２（Ｂ）は、本発明の実施の形態に従うプラグ１１Ｂと、本体側の機器１０Ｂとの接続を説明する図である。
【００２２】
プラグ１１Ｂは、本体側の機器１０Ｂのジャック２０に挿入されて、本体側の機器１０Ｂとの電気的な結合に用いられるジャックピン１９と、ジャックピン１９を固定する固定部材１８とを含む。なお、図示していないが、固定部材１８の内部においてジャックピン１９とイヤホンケーブル１３とは電気的に結合されているものとする。この構成は、図２（Ａ）に示される構成と比較して、挿入ヅメおよび差込口を設けていない構成であり、ジャックピン１９をジャック２０に挿入することにより本体側の機器１０Ｂとジャックピン１９との電気的な接続を可能とするとともにジャック２０にジャックピン１９を嵌め込むすなわち嵌合させることによりプラグ１１Ｂを介して本体側の機器１０Ｂとイヤホンケーブル１３とを連結状態とすることも可能とした構成である。
【００２３】
したがって、図２（Ａ）よりも簡易なプラグの構成により本体側の機器１０Ｂとイヤホンケーブル１３とを連結することが可能となる。
【００２４】
従来の構成においては、ハンズフリーで音楽再生機器を携帯する場合には、ネックストラップを音楽再生機器と結合させ、さらに、イヤホンのコード等についてもさらに別に音楽再生機器と結合させる必要があったが本願構成とすることにより１回の動作で簡易に接続が可能となる。また、接続に用いる部品点数もそれぞれ独立に設ける必要がなく、一体成型として設ければ良いため部品点数が少なくコストも低減することが可能となる。
【００２５】
なお、上記においては、本体側の機器１０として、ＭＰ３等の圧縮方式を利用した音楽再生が可能な機器について説明したが、これに限られず、たとえばＣＤ再生機器や、ＭＤ再生機器等、種々の再生機器やラジオ等の放送受信器にも同様に適用可能である。
【００２６】
また、上記の構成においては、イヤホンおよびイヤホンケーブルをネックストラップに埋設して一体とした構成について説明したが、イヤホンおよびイヤホンケーブルの代わりにマイクおよびマイクケーブルを用いても同様の構成を実現することが可能である。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２８】
【図１】本発明の実施の形態に従う携帯用音楽再生機器１の外観構成を説明する図である。
【図２】本発明の実施の形態に従うプラグと、本体側の機器との接続を説明する図である。
【符号の説明】
【００２９】
１  携帯用音楽再生機器、１０  本体側の機器、１１，１１Ａ，１１Ｂ  プラグ、１２  ネックストラップ、１３  イヤホンケーブル、１４  イヤホン、１６，１９  ジャックピン。
【図１】
2006295489.tif 000003
【図２】
2006295489.tif 000004